(57)【要約】【課題】少ない部品数でアームの数が容易に調整可能とし、製造工数やコストを低減でき、売場の変更にも迅速に対応できると共に、売場毎の販売コンセプトにも容易に応答し得る商品陳列用フックとこれに用いる商品用吊り下げアームとを提供する。【解決手段】水平なバー材ｂに嵌合する下向きの凹部２４と、上面２１において前記バー材ｂとほぼ直交し且つ水平に設けた第１の凹溝３２と、この第１の凹溝３２の底部にほぼ垂直に設けた第１の固定穴３８と、背面２３において上記バー材ｂとほぼ直交し且つ垂直に設けた第２の凹溝４２と、係る第２の凹溝４２の底部にほぼ水平に設けた第２の固定穴４８と、を含み且つ全体がほぼ合成樹脂からなる、商品陳列用フック２０。【選択図】　図２
2004016478.tif 000002
【特許請求の範囲】
【請求項１】
水平なバー材に嵌合する下向きの凹部と、
上面において上記バー材とほぼ直交し且つほぼ水平に設けた第１の凹溝と、
上記第１の凹溝の底部にほぼ垂直に設けた第１の固定穴と、
背面において上記バー材とほぼ直交し且つほぼ垂直に設けた第２の凹溝と、
上記第２の凹溝の底部にほぼ水平に設けた第２の固定穴と、
を含み且つほぼ全体が合成樹脂からなる、
ことを特徴とする商品陳列用フック。
【請求項２】
前記第１の凹溝および第２の凹溝の少なくとも一つは、断面ほぼ円形の当該凹溝の内径よりも狭く且つ弾性変形可能な一対の開口縁を有する、
ことを特徴とする請求項１に記載の商品陳列用フック。
【請求項３】
水平なバー材に嵌合する下向きの凹部と、
上面付近において上記バー材とほぼ直交し且つほぼ水平に設けた貫通孔と、
背面付近において上記バー材とほぼ直交しつつほぼ垂直に設けられ且つ上記貫通孔の後端と連通する垂直孔と、
上記垂直孔の上端で且つ上記貫通孔の後端寄りに設けた垂直な鈎凹部と、
を含み且つほぼ全体が合成樹脂からなると共に、
上記垂直孔に第２のアームの後端側の垂直な挿入片を挿入した際、係る第２のアームに設けた鈎凸条が上記鈎凹部に嵌め込まれ、
上記貫通孔に第１のアームを挿入した際、係る第１のアームの後端に設けた上向きの切り欠き部に、上記第２のアームの鈎凸条における下端の突起が嵌め込まれる、ことを特徴とする商品陳列用フック。
【請求項４】
縦横方向に線材を格子状に配置したネットに含まれる水平線に掛かる掛かり部、この掛かり部の下側で正面側に開口し且つ側面視でほぼコ字形の凹溝、この凹溝の両側と正面側とに位置する凹み、およびこの凹みに囲まれた細径部、を含み且つ全体が一体のほぼ合成樹脂からなるフック本体と、
上記凹溝の垂直部と対向する円弧溝、この円弧溝を底面に有する嵌合溝、この嵌合溝の両側から背面側に延び且つ上記両側の凹み内に個別に挿入される弾性変形可能な左右一対の脚片、および、係る一対の脚片の先端に対向して形成され且つ上記凹みに囲まれた細径部の背面に係止する一対の係止突条、を一体に含み且つ全体が合成樹脂からなるアーム固定片と、を備えている、
ことを特徴とする商品陳列用フック。
【請求項５】
前記凹部に沿って断面ほぼコ字形またはＬ字形の金属補強板を埋設するか、あるいは前記フック本体の掛かり部に沿ってこれとほぼ相似形断面の金属補強板を埋設している、
ことを特徴とする請求項１〜４の何れか一項に記載の商品陳列用フック。
【請求項６】
水平なバー材に嵌合する下向きの凹部を有するか、あるいは縦横方向に線材を格子状に配置したネットに含まれる水平線に掛かる掛かり部を有する商品陳列用フックに、後端側が支持される商品吊り下げ用アームであって、
アームの中心に沿って配置した金属棒と、係る金属棒の両端を含む周囲に被覆した合成樹脂と、を含む、ことを特徴とする商品吊り下げ用アーム。
【発明の詳細な説明】
【０００１】
【発明の属する技術分野】
本発明は、上端にハンガーまたは貫通孔を有するパッケージにより包装された商品を多数陳列するための商品陳列用フックおよびこれに用いる商品吊り下げ用アームに関する。
【０００２】
【従来の技術】
多数の商品を効率良く陳列するため、これらの商品を包装するパッケージの上端に設けたハンガーまたは貫通孔により、水平な金属製のアームに吊り下げる方法が広く行われている。例えば、図１０（Ａ）に示す商品陳列具８０が用いられている。この陳列具８０は、図１０（Ａ）に示すように、角形鋼管からなる水平なバー材８９に、下向きの凹部８３により嵌合する断面ほぼコ字形のフック８２と、このフック８２の上面に、後端部８６を溶接Ｗした金属製のアーム８４と、を備えている。アーム８４の先端には、曲げ加工による緩い傾斜片８５が位置する。
【０００３】
また、図１０（Ｂ）に示す商品陳列具８１も用いられている。この陳列具８１は、図１０（Ｂ）に示すように、上記と同じフック８２と、これに上記同様に溶接Ｗされ、先端に傾斜片８５を有し且つ後端の垂直片８８で連結した平行な長短一対のアーム８４，８７と、を備えている。上記フック８２は、鋼板を曲げ加工したもので、上記アーム８４，８７は、細径の棒鋼の両端を半球面状に面取りした後、曲げ加工したものである。図１０（Ｂ）で上側のアーム８７は、その傾斜片８５に、図示しない商品表示プレートを嵌め込み、これを支持するのに用いられる。　上記陳列具８０，８１のフック８２とアーム８４，８７とは、上記溶接Ｗの後で、全体を例えばクロムメッキにより防錆処理される。
【０００４】
一方、図１０（Ｃ），（ｃ）に示ように、複数の水平線と複数の垂直線とを格子状に配置し且つ各交点でスポット溶接した金属製のネットＮに、支持するための商品陳列具９０も用いられている。この陳列具９０は、ネットＮの水平線に掛かる一対の掛かり部９８および掛かり溝９９を上端に有するベース板９７と、このベース板９７に後端の垂直片９４が溶接Ｗされて固定されるアーム９２と、を備えている。アーム９２の先端には、傾斜片９３が位置している。
また、図１０（Ｄ）に示す商品陳列具９１も用いられている。この陳列具９１は、図１０（Ｄ）に示すように、上記と同じベース板９７と、後端の垂直片９４において溶接Ｗされ且つその上下から平行に延び先端に傾斜片９３，９５を有する長短一対のアーム９２，９６と、を備えている。
上記陳列具９０，９１のベース板９７およびアーム９２，９６も、上記溶接Ｗの後で、全体を例えばクロムメッキにより防錆処理される。
【０００５】
しかし、商品陳列具８０，８１，９０，９１は、１本のアーム８４，９２の場合と、２本のアーム８４，８７または９２，９６の場合とで使い分ける必要があるため、構成部品が多くストックが増加する、という問題がある。また、商品陳列具８０，８１，９０，９１毎に、棒鋼両端の面取り、鋼板や棒鋼の曲げ加工、溶接Ｗ、および前記メッキが必要となるため、製造工数が多くコスト高になると共に、全て金属製であるため、重量も大きくなる、という問題もあった。更に、売場の商品構成を変える度に、前記陳列具８０，８１，９０，９１相互を取り替える必要があり、多大の手数や労力を要する。しかも、何れの陳列具も金属メッキされた無機質な表面のため、売場毎の販売コンセプトに対応しずらかった。
【０００６】
【発明が解決すべき課題】
本発明は、以上の従来の技術における問題点を解決し、少ない部品数でアームの数が容易に調整可能で、製造工数やコストを低減でき、売場の変更にも迅速に対応できると共に、売場毎の販売コンセプトにも容易に対応し得る商品陳列用フックとこれに用いる商品用吊り下げアームとを提供する、ことを課題とする。
【０００７】
【課題を解決するための手段および発明の効果】
本発明は、上記課題を解決するため、商品を吊り下げるアームとこれを支持するフックとを別体化し且つこれらを組合せると共に、係るアームおよびフックを主に合成樹脂によって形成する、ことに着想して成されたものである。
即ち、本発明の第１の商品陳列用フック（請求項１）は、水平なバー材に嵌合する下向きの凹部と、上面において上記バー材とほぼ直交し且つほぼ水平に設けた第１の凹溝と、上記第１の凹溝の底部にほぼ垂直に設けた第１の固定穴と、背面において上記バー材とほぼ直交し且つほぼ垂直に設けた第２の凹溝と、係る第２の凹溝の底部にほぼ水平に設けた第２の固定穴と、を含み且つほぼ全体が合成樹脂からなる、ことを特徴とする。
【０００８】
これによれば、第１の凹溝および第１の固定溝に、後端に垂直な挿入片を有する第１のアームを嵌合して支持でき、第２の凹溝および第２の固定溝に、後端がほぼコ字形の第２のアームを嵌合して支持することができる。このため、第１のアームおよび第２のアームの少なくとも一方を用いることにより、１本または２本のアームを選択して支持することができる。この結果、従来の商品陳列具に比べて在庫すべき部品数を低減でき、製造工数およびコストを減らせる。更に、全体がほぼ合成樹脂からなるため、軽量で且つ任意の着色や模様付けが可能となる。従って、第１のアームおよび第２のアームを選択することで、商品配列や売場の商品構成を容易に変更できると共に、売場毎の販売コンセプトにも容易に対応することが可能となる。尚、本明細書において、背面とは、アームが突出する販売スペースのある正面側と反対側の位置を指す。
【０００９】
また、第１の商品陳列用フックには、前記第１の凹溝および第２の凹溝の少なくとも一つは、断面ほぼ円形の当該凹溝の内径よりも狭く且つ弾性変形可能な一対の開口縁を有する、（請求項２）も含まれる。
これによれば、第１のアームと第２のアームとを、当該フックに強固に支持できると共に、不用意な抜け出しやガタ付きなどのおそれを防げ、多数の商品を安定した姿勢で吊り下げつつ陳列できる。
【００１０】
更に、本発明の第２の商品陳列用フック（請求項３）は、水平なバー材に嵌合する下向きの凹部と、上面付近において上記バー材とほぼ直交し且つほぼ水平に設けた貫通孔と、背面付近において上記バー材とほぼ直交しつつほぼ垂直に設けられ且つ上記貫通孔の後端と連通する垂直孔と、係る垂直孔の上端で且つ上記貫通孔寄りに設けた垂直な鈎凹部と、を含み且つほぼ全体が合成樹脂からなると共に、上記垂直孔に第２のアームの後端側の垂直な挿入片を挿入した際、係る第２のアームに設けた鈎凸条が上記鈎凹部に嵌め込まれ、上記貫通孔に第１のアームを挿入した際、係る第１のアームの後端に設けた上向きの切り欠き部に、上記第２のアームの鈎凸条における下端の突起が嵌め込まれる、ことを特徴とする。
【００１１】
これによれば、上記貫通孔に挿入した第１のアームの後端に設けた切り欠き部に、上記垂直孔に挿入した第２のアームの垂直な挿入片に設けた鈎凸条における下端の突起が嵌め込まれる。同時に、上記垂直孔に第２のアームを挿入した際、係る第２のアームの後端側の垂直な挿入片に設けた鈎凸条が上記鈎凹部に嵌め込まれる。このため、第１および第２のアームを互いに結合した状態で、強固に支持することができる。尚、第１のアームのみを支持する際には、第２のアームに替えて、上記鈎凸条と突起を有する凹溝に挿入可能な穴塞ぎ用ピースを用いる。
【００１２】
一方、本発明の第３の商品陳列用フック（請求項４）は、縦横方向に線材を格子状に配置したネットに含まれる水平線に掛かる掛かり部、この掛かり部の下側で正面側に開口し且つ側面視でほぼコ字形の凹溝、この凹溝の両側と正面側とに位置する凹み、およびこの凹みに囲まれた細径部、を含み且つ全体が一体のほぼ合成樹脂からなるフック本体と、上記凹溝の垂直部と対向する円弧溝、この円弧溝を底面に有する嵌合溝、この嵌合溝の両側から背面側に延び且つ上記両側の凹み内に個別に挿入される弾性変形可能な左右一対の脚片、および、係る一対の脚片の先端に対向して形成され且つ上記凹みに囲まれた細径部の背面に係止する一対の係止突条、を一体に含み且つ全体が合成樹脂からなるアーム固定片と、を備えている、ことを特徴とする。
【００１３】
これによれば、フック本体のコ字形の凹溝とこれに嵌合するアーム固定片の円弧溝との間に、後端に挿入片を有する２本のアームの少なくとも一方、あるいは後端が垂直な挿入片を含むコ字形で且つ平行な２本のアームを有するアームユニットを、選択的に嵌合し且つ縦横に振れなく強固に支持することができる。
このため、従来の前記陳列具に比べて在庫すべき部品数を低減でき、製造工数やコストを減らせると共に、全体がほぼ合成樹脂からなるため、軽量で且つ任意の着色や模様付けが可能となる。従って、何れかのアームを適宜選択することで、商品配列や売場の商品構成を容易に変更でき、売場毎の販売コンセプトにも容易に対応することが可能となる。
【００１４】
また、第１乃至第３の商品陳列用フックには、前記凹部に沿って断面ほぼコ字形またはＬ字形の金属補強板を埋設するか、あるいは前記フック本体の掛かり部に沿ってこれとほぼ相似形断面の金属補強板を埋設している、（請求項５）も含まれる。これによれば、第１および第２の陳列用フックの凹部付近や第３の陳列用フックの掛かり部付近が埋設された上記金属補強板により補強される。このため、これらに支持される１本または２本のアームに多数の商品を吊り下げても、上記凹部や掛かり部の付近において、亀裂や延びなどの塑性変形の発生を確実に防ぎ、長期間にわたり安定した商品陳列機能を果たすことができる。
尚、第１〜第３の商品陳列用フックには、次述するアームの他、従来同様の細長い棒鋼を曲げ加工し、且つ前記メッキ処理したものも使用できる。
【００１５】
更に、本発明の商品吊り下げ用アーム（請求項６）は、水平なバー材に嵌合する下向きの凹部を有するか、あるいは縦横方向に線材を格子状に配置したネットに含まれる水平線に掛かる掛かり部を有する商品陳列用フックに、後端側が支持される商品吊り下げ用アームであって、アームの中心に沿って配置した金属棒と、係る金属棒の両端を含む周囲に被覆した合成樹脂と、を含む、ことを特徴とする。
これによれば、細長い鋼線を切断し且つ面取りやメッキをせずに曲げ加工した状態で、例えば射出成形金型内にセットし、溶融した樹脂を充填することにより、全体が合成樹脂で覆われ、任意の着色や模様を表面に有するアームとなる。
従って、商品吊り下げ用アーム自体を従来のものよりも軽量化でき、前記第１および第２の商品陳列用フックと調和させることにより、売場自体のカラフル化や販売コンセプトの訴求を一層容易に表現することが可能となる。尚、上記アームは、後述する各形態のように、水平片と、その先端の傾斜片と、水平片の後端の垂直な挿入片などとを含み、更にその周囲を被覆する樹脂により、第２のフックに支持するアームのように、鈎凸条などを一体に付設することも可能である。
【００１６】
【発明の実施の形態】
以下において、本発明の実施に好適な形態を図面と共に説明する。また、以下において、商品吊り下げ用アームは、単にアームと称することとする。
図１（Ａ）は、第１の商品陳列用フック２０と、これに用いる第１のアーム１および第２のアーム６を示す。第１のアーム１は、長尺な水平片２、先端の傾斜片３、および後端の垂直な挿入片４からなり、ほぼＬ字形を呈する。また、第２のアーム６は、長尺な水平片８、先端の傾斜片７、後端の垂直な挿入片９、およびその下端の水平な挿入片１０からなる。アーム１，６は、図１（Ｂ）に示すように、中心に沿って位置する鋼線などの金属棒１２と、その周囲および両端を被覆する合成樹脂（例えばポリプロピレン）１４とからなる。金属棒１２の両端は切断したままで、これを射出成形金型内などにセットし、溶融した樹脂を充填することにより、全体が合成樹脂１４で覆われ、任意の着色や模様が表面に表現できる。
【００１７】
第１の商品陳列用フック２０は、図１（Ａ），（Ｃ）に示すように、全体がほぼ合成樹脂（例えばポリプロピレン）のほぼ直方体からなり、角形鋼管などからなる図示しない水平なバー材に嵌合する下向きの凹部２４と、上面２１側に位置する第１の支持部３０と、背面２３側に位置する第２の支持部４０と、を有する。
図１（Ａ），（Ｃ），図２（Ｂ）に示すように、凹部２４の両側には、薄い前片２５とほぼ角形の本体２２とが位置する。凹部２４内の対向する内壁２２ａ，２５ａの中央には、補強用の凸条２６，２７が垂直に突設されている。この凹部２４付近には、図２（Ｂ）に示すように、当該凹部２４に沿った断面ほぼコ字形の金属補強板１６が埋設されている。この金属補強板１６は、薄肉の鋼板などを折り曲げ加工したもので、長短一対の垂直片１７，１８と水平片１９とからなる。
【００１８】
また、図１（Ｃ），図２（Ａ）に示すように、第１の支持部３０は、本フック２０の上面２１の前後方向に沿った開口部３４と、その両側に対称に位置する一対の開口縁３３と、これらの間の奥側に位置する水平な凹溝（第１の凹溝）３２と、この凹溝３２の後端寄りで開口縁３３のない溝部３６と、その後端において垂直に凹む第１の固定穴３８と、を備えている。
一対の開口縁３３，３３は、断面ほぼ＞形で弾性変形可能であると共に、断面ほぼ円形の凹溝（凹溝本体）３２の内径よりも狭い開口部３４を形成する。
尚、上記凹溝３２の長手方向は、図２（Ｂ）に示すように、本フック２０の凹部２４に嵌合する角形鋼管などからなるバー材ｂと平面視で直交する。
【００１９】
更に、図１（Ｃ），図２（Ｂ）に示すように、第２の支持部４０は、本フック２０の背面２３付近で上下方向に沿った開口部４４と、その両側に位置する一対の開口縁４３，４３と、これらの間の奥側に位置する垂直な凹溝（第２の凹溝）４２と、この凹溝４２の下端寄りで開口縁４３のない溝部４６と、その下端において水平に凹む第２の固定穴４８と、を備えている。開口縁４３，４３も、断面ほぼ＞形で且つ弾性変形可能である。尚、凹溝４２は断面ほぼ円形で、その長手方向は、図２（Ｂ）に示すように、凹部２４に嵌合するバー材ｂと側面視で直交する。
【００２０】
商品陳列用フック２０に１本のアーム１のみを支持する場合、図２（Ｃ）に示すように、第１のアーム１の水平片２の後端寄りの部分を、第１の支持部３０の開口縁３３，３３間の開口部３４から下向きに押し込む。この時、図２（Ｄ）中の破線で示すように、開口縁３３，３３は、アーム１の水平片２を下向きに押し込む際に、左右方向に縮むように弾性変形する。この結果、アーム１の水平片２は、ほぼ同じ断面の凹溝３２内に強固に嵌合される。同時に、当該アーム１の挿入片４は、図２（Ｅ）に示すように、第１の固定穴３８内に挿入され、その先端５は係る固定穴３８の底面に接触または接近する。
この結果、図２（Ｃ）に示すように、第１のアーム１は、第１の支持部３０から抜け出したり振れたりせず、第１の商品陳列用フック２０に強固に支持されるため、多数の商品を安定して吊り下げて陳列できる。
尚、前記金属補強板１６に替えて、図２（Ｅ）に示すように、垂直片１７および水平片１９のみからなる断面ほぼＬ字形の金属補強板１６ａを用いて良い。
【００２１】
また、第１のアーム１を支持した商品陳列用フック２０に更に第２のアーム６を支持したい場合、図３（Ａ）に示すように、第２のアーム６の垂直な挿入片９と水平な挿入片１０とを、本フック２０の背面２３側の第２の支持部４０寄りに水平に移動させる。すると、図３（Ｃ）に示すように、第２のアーム６の挿入片９のほぼ下半部は、前記同様に弾性変形する開口縁４３，４３間の開口部４４を通過して凹溝４２内に嵌合されると共に、当該アーム６の挿入片１０は、図３（Ｃ）に示すように、第２の固定穴４８内に挿入され、その先端１１は係る固定穴４８の底面に接触または接近する。この結果、図３（Ｂ）に示すように、第２のアーム６は、第２の支持部４０から抜け出したり縦横に振れたりせず、当該フック２０に強固に支持されるため、多数の商品を安定して吊り下げて陳列できる。
【００２２】
従って、第１の商品陳列用フック２０によれば、第１および第２のアーム１，６の少なくとも一方を強固に支持し、多数の図示しない商品を吊り下げたり、商品表示プレートをアーム６の傾斜片７に装着することができる。また、当該フック２０と各アーム１，６の表面を同じ着色としたり、統一した模様とすることで、売場の商品を見易くしたり、消費者に快適感などを与え、購買意欲を刺激することも可能となる。尚、第１の商品陳列用フック２０には、従来同様の細長い棒鋼を曲げ加工し、且つメッキ処理したものを使用しても良い。
【００２３】
図４は、第２の商品陳列用フック２０ａに関する。
図４（Ａ）は、第２の商品陳列用フック２０ａに用いる第１のアーム１ａおよび第２のアーム６ａを示す。第１のアーム１ａは、長尺な水平片２および先端の傾斜片３からなり、ほぼ直線形を呈する。また、第２のアーム６ａは、長尺な水平片８、先端の傾斜片７、および後端の垂直な挿入片９とからなる。
図４（Ｂ）に示すように、第１・第２のアーム１ａ，６ａも、中心に沿って位置する金属棒１２と、その周囲および両端を被覆する合成樹脂１４とからなる。
図４（Ｂ）に示すように、第１のアーム１ａにおける水平片２の後端寄りには、上向きの平坦面２ａと、後端付近に上向きに設けた切り欠き部２ｂとが形成されている。また、第２のアーム６ａの後端における挿入片９には、水平片８との内隅部から垂下する鈎凸条９ａが突設され、その下端には下向きの小溝９ｂおよび突起９ｃが形成されている。これらは、上記樹脂１４により一体に形成される。
【００２４】
図４（Ｃ），（Ｄ）は、第２の商品陳列用フック２０ａを示す斜視図と平面図である。この商品陳列用フック２０ａも、図４（Ｃ），（Ｄ）に示すように、全体がほぼ合成樹脂のほぼ直方体からなり、角形鋼管などからなる図示しない水平なバー材に嵌合する下向きの凹部２４と、上面２１側に位置する第１の支持部３０ａと、背面２３側に位置する第２の支持部４０ａと、を有する。図４（Ｃ）に示すように、凹部２４の両側には、薄い前片２５とほぼ角形の本体２２とが位置する。
第１の支持部３０ａは、上面２１の付近をほぼ水平に貫通し、断面ほぼ円形で且つ上部が平面の異形断面の貫通孔３５からなる。
また、第２の支持部４０ａは、図４（Ｄ）に示すように、この商品陳列用フック２０ａの背面２３付近で上下方向に沿った断面が円形の垂直孔４２ａと、その下端の底壁４９と、を備えている。
【００２５】
図４（Ｅ）に示すように、貫通孔３５の後端と垂直孔４２ａの上端とは、互いに連通し、図４（Ｄ）に示すように、貫通孔３５後端の垂直孔４２ａ寄りには、断面コ字形の鈎凹部４５が形成されている。
第２の商品陳列用フック２０ａは、次のようにして用いられる。
先ず、図４（Ｅ）に示すように、第１のアーム１ａを、貫通孔３５に水平に挿入する。この際、第１のアーム１ａにおいて、平坦面２ａが形成された水平片２の後端寄りの部分が貫通孔３５内に挿入され、その後端の切り欠き部２ｂが貫通孔３５後端の垂直孔４２ａ寄りに位置する鈎凹部４５の下方に位置する。
次に、図５（Ａ）に示すように、第２のアーム６ａの垂直な挿入片９を、垂直孔４２ａ内に挿入する。この際、第２のアーム６ａにおける挿入片９の下端は、底壁４９のやや上方に位置している。
【００２６】
係る状態で、図５（Ａ）中の垂直な矢印で示すように、第２のアーム６ａを下向きに押し下げる。すると、図５（Ｂ）に示すように、第２のアーム６ａの突起９ｃは、第１のアーム１ａの切り欠き部２ｂ内に嵌め込まれる。同時に、第２のアーム６ａの垂直な挿入片９は、垂直孔４２ａの下方に移動し且つ底壁４９に接触または接近する。この結果、図５（Ｂ）に示すように、第１および第２のアーム１ａ，６ａは、互いに結合しつつ、商品陳列用フック２０ａに強固に支持される。
また、第１のアーム１ａのみを商品陳列用フック２０ａに支持する場合には、穴塞ぎ用ピースＰを用いる。係るピースＰは合成樹脂からなり、図４（Ｆ）に示すように、垂直孔４２ａに嵌入する円柱形の本体ｐと、その外側に突出した鈎凸条ｐ１と、その下端に位置する下向きの小溝ｐ２および突起ｐ３と、を有する。
【００２７】
図５（Ｃ）に示すように、前記同様に第１のアーム１ａを貫通孔３５に貫通させ、その切り欠き部２ｂに、垂直孔４２ａに本体ｐを挿入した穴塞ぎ用ピースＰの突起ｐ３を嵌め込む。この結果、図５（Ｃ）に示すように、第１のアーム１ａのみを商品陳列用フック２０ａに支持することができる。
以上のような第２の商品陳列用フック２０ａよっても、前記第１の商品陳列用フック２０と同様な機能および効果を発揮することができる。
尚、第２の商品陳列用フック２０ａにも、従来同様の細長い棒鋼を曲げ加工し、且つメッキ処理したものを使用しても良い。
【００２８】
図６（Ａ）は、第３の商品陳列用フック６０と、これに支持される第１アーム１および第２のアーム５０と、を示す。第２のアーム５０は、図６（Ａ）に示すように、第１のアーム１の水平片２よりもやや長い水平片５２と、その先端の傾斜片５３と、水平片５２の後端から垂直に立ち上がる挿入片５４とからなり、前記同様の金属棒１２とその周囲に被覆した合成樹脂１４とから形成されている。
商品陳列用フック６０は、図６（Ａ）に示すように、フック本体６０ａとアーム固定片７２とから構成される。フック本体６０ａは、図７（Ａ）乃至（Ｃ）に示すように、上部６４、中間の細径部６５、および下部７０とからなる。上部６４の背面側には、下向きで一対の掛かり溝６１と、これを囲む一対の掛かり部６２と、これらの間に位置する凹所６３とを有する。一対の掛かり溝６１には、後述するネットの水平線Ｎが挿入される。また、上記凹所６３は、後述するネットの垂直線ｎを受け入れるが、省略することも可能である。
【００２９】
図７（Ａ）乃至（Ｄ）に示すように、フック本体６０ａの上部６４と下部７０との間には、断面ほぼ長方形の細径部６５が位置し、その両側と正面側とには、平面視がチャンネル形で且つ側面視覚が矩形の凹み６６が位置する。
図７（Ａ）乃至（Ｃ）に示すように、下部７０の背面には下向きの当接部７１が位置し、後述するネットの水平線Ｎなどに接触する。また、図７（Ｃ），（Ｅ）に示すように、当接部７１背面側の中央には、垂直な凹所７１ａが位置する。係る凹所７１ａも、ネットの垂直線ｎを受け入れるが、省略することも可能である。
フック本体６０ａの正面側における細径部６５付近には、図７（Ａ）乃至（Ｃ）に示すように、上部６４および下部７０にわたり、正面側に開口し且つ側面視でほぼコ字形を呈する凹溝ｍが位置する。この凹溝ｍは、上部６４において下向きに開口する断面半円形の水平溝６８と、この水平溝６８の後端と直角に連続し且つ細径部６５の正面側に位置する断面半円形の垂直溝（垂直部）６７と、この垂直溝６７の下端と直角に連続し且つ下部７０において上向きに開口する断面半円形の水平溝６９とからなる。
【００３０】
また、図７（Ｂ），（Ｃ），（Ｅ）に示すように、フック本体６０ａの掛かり部６２には、この掛かり溝６１を囲むように、当該掛かり部６２に沿った断面ほぼ逆Ｕ字形の金属補強板６０ｂが埋設されている。
一方、アーム固定片７２も前記同様の合成樹脂からなり、図６（Ａ），図７（Ｆ）に示すように、前記細径部６５を嵌合する嵌合溝７３と、その両側から背面側に延び且つ弾性変形可能な左右一対の脚片７４と、上記嵌合溝７３の底面中央に位置する円弧溝７６と、上記脚片７４の各先端に対向して形成される一対の係止突条７５と、を備えている。係るアーム固定片７２は、図６（Ａ），図７（Ｆ）に示すように、前記フック本体６０ａの細径部６５をその嵌合溝７３内に嵌合し、その円弧溝７６は前記凹溝ｍの垂直溝（垂直部）６７と対向するように配置される。
【００３１】
図７（Ｆ）の上方に示すように、アーム固定片７２を同図中で左向きの矢印の方向に沿って押し込むと、その一対の脚片７４，７４は、それぞれ外側に弾性変形しつつフック本体６０ａの細径部６５の両側面に沿って移動する。そして、図７（Ｆ）の下方に示すように、各脚片７４の係止突条７５が細径部６５の背面に係止すると同時に、円弧溝７６は、凹溝ｍの垂直溝６７と共に断面円形の垂直な貫通孔を形成する。この結果、アーム固定片７２は、凹み６６内に位置しつつフック本体６０ａに嵌合され、第３の商品陳列用フック６０が形成される。
即ち、図６（Ａ）に示すように、第１のアーム１の水平片２の後端部と挿入片４とを、凹溝ｍの水平溝６８と垂直溝６７とに挿入し、且つ第２のアーム５０の水平片５２の後端部と挿入片５４とを、凹溝ｍの垂直溝６７と水平溝６９とに挿入した後、前述したようにアーム固定片７２を当該フック本体６０ａに嵌合する。
【００３２】
その結果、図８（Ａ）に示すように、第１および第２のアーム１，５０は、水平片２，５２を平行にして、形成された商品陳列用フック６０に支持される。しかも、アーム１，５０は、水平片２，５２の後端部と挿入片４，５４とが、凹溝ｍの垂直溝６７と水平溝６８，６９とアーム固定片７２の円弧溝７６とに囲まれているため、縦横方向の振れに対して強固に抵抗できる。従って、以上のような商品陳列用フック６０をネットの水平線Ｎに引っ掛けると、第１・第２のアーム１，５０の水平片２，５２に多数の商品を安定して吊り下げたり、第１のアーム１の傾斜片３に図示しない商品表示プレートを確実に装着することができる。尚、図８（Ａ）に示すように、凹所６３，７１ａには、ネットの垂直線ｎが入り込む。
【００３３】
また、図６（Ｂ）に示すように、第１のアーム１の水平片２の後端部と挿入片４とを、凹溝ｍの水平溝６８と垂直溝６７とに挿入し、カバー７７を凹溝ｍの垂直溝６７と水平溝６９に挿入した後、前述したようにアーム固定片７２をフック本体６０ａに嵌合することもできる。尚、カバー７７も前記同様の合成樹脂からなり、図６（Ｂ）に示すように、凹溝ｍの垂直溝６７およびアーム固定片７２の円弧溝７６の間に挿入する円柱形の挿入片７８と、垂直溝６７の下端から水平溝６９内に挿入する下辺が断面ほぼ半円形のアール片７９と、を一体に有する。
その結果、図８（Ｂ）に示すように、第１のアーム１は、水平片２を水平にして商品陳列用フック６０に支持され、係るアーム１は、水平片２の後端部と挿入片４とが、凹溝ｍの垂直溝６７と水平溝６８とアーム固定片７２の円弧溝７６とに囲まれているため、縦横方向の振れに対して強く抵抗できる。尚、凹溝ｍの水平溝６９は、上記カバー７７によりアーム固定片７２の正面と面一に覆われる。
【００３４】
更に、図９（Ａ）に示すように、側面視が細長いコ字形の第３のアーム５６を、第３の商品陳列用フック６０に支持しても良い。第３のアーム５６は、長短一対の水平片５２，５７、これらの先端に位置する傾斜片５３，５８、および水平片５２，５７の後端を接続する垂直な挿入片５９からなるアームユニットで、前記金属棒１２を中心に沿って有し、その周囲を前記合成樹脂１４が覆っている。
図９（Ａ）に示すように、アーム５６の水平片５２，５７の後端部と挿入片５９とを、フック本体６０ａの凹溝ｍの水平溝６８，６９と垂直溝６７とに挿入した後、前述したようにアーム固定片７２を当該フック本体６０ａに嵌合する。
【００３５】
その結果、図９（Ｂ）に示すように、第３のアーム５６は、水平片５２，５７を水平にして、形成された商品陳列用フック６０に支持される。しかも、係るアーム５６は、水平片５２，５７の後端部と挿入片５９とが、凹溝ｍとアーム固定片７２の円弧溝７６とに囲まれているため、縦横方向の振れに対して強く抵抗できる。従って、係るフック６０をネットの水平線Ｎに掛けることで、第３のアーム５６の水平片５２，５７に多数の商品を安定して吊り下げたり、水平片５７の傾斜片５８に図示しない商品表示プレートを確実に装着することができる。
【００３６】
以上のフック本体６０ａとアーム固定片７２とからなる第３の商品陳列用フック６０によれば、第１のアーム１のみを支持したり、第１および第２のアーム１，５０あるいは第３のアーム５６を選択的に支持できる。従って、多数の商品を選別し且つ整理して吊り下げたり、商品表示プレートを傾斜片３などに装着することができる。また、当該フック６０とアーム１，５０，５６の表面を同じ着色や反対色などとしたり、統一した模様とすることで、当該売場の商品を見易くしたり、消費者に快適感などを与えることで、購買意欲の刺激なども可能となる。
尚、第３の商品陳列用フック６０にも、従来同様の細長い棒鋼を曲げ加工し、且つメッキ処理したものを使用しても良い。
【００３７】
本発明は、以上において説明した各形態に限定されるものではない。
例えば、第１の商品陳列用フック２０の凹溝３２，４２や貫通孔３５は、水平または垂直方向に対してやや傾斜しても良く、固定穴３８，４８も同様に傾いていても良い。
また、第２の商品陳列用フック２０ａにおける貫通孔３５や垂直孔４２ａも、水平または垂直方向に対してやや傾斜していても良い。
更に、第３の商品陳列用フック６０におけるフック本体６０ａとアーム固定片７２は、幅広く形成して２つの凹溝ｍと２つの円弧溝７６と左右を形成し、左右の各凹溝ｍなどで１本または２本のアームを選択的に支持することもできる。
また、アームの金属棒を被覆する合成樹脂は、断面円形の形状に限らず、上部が断面半円形で下部が断面四角形のかまぼこ形断面としたり、全体の断面が四角形、六角形、八角形などの多角形にすることも可能である。これに応じて、前記凹溝３２，ｍの断面形状も、上記各断面形状とほぼ相似形の断面形状にされる。
【図面の簡単な説明】
【図１】（Ａ）は第１の商品陳列用フックとこれに用いるアームを示す斜視図、（Ｂ）は（Ａ）中のＢ−Ｂ線に沿った矢視の断面図、（Ｃ）はフックの異なる斜視図。
【図２】（Ａ），（Ｂ）は上記フックの平面図または垂直断面図、（Ｃ）は該フックに１本のアームを支持した状態を示す斜視図、（Ｄ）はアームを上記フックの凹溝に嵌合する状態を示す概略図、（Ｅ）はアームを支持した上記フックの垂直断面図。
【図３】（Ａ），（Ｂ）は上記フックに更に別のアームを支持する直前または直後の状態を示す斜視図、（Ｃ）は２本のアームを支持した上記フックの垂直断面図。
【図４】（Ａ），（Ｂ）は第２の商品陳列用フックに用いる第１および第２のアームを示す側面図または部分拡大図、（Ｃ），（Ｄ）は上記フックの斜視図または平面図、（Ｅ）は上記フックの使用状態を示す垂直断面図、（Ｆ）は係るフックに用いる穴塞ぎ用ピースの斜視図。
【図５】（Ａ）〜（Ｃ）は図４（Ｅ）に続く第２の商品陳列用フックの使用状態を示す垂直断面図。
【図６】（Ａ），（Ｂ）は第３の商品陳列用フックとこれに用いるアームとを示す斜視図。
【図７】（Ａ）〜（Ｃ）は上記フックのフック本体を示す斜視図、側面図、または正面図、（Ｄ），（Ｅ）は（Ｃ）中のＤ−Ｄ線またはＥ−Ｅ線に沿った矢視の端面図、（Ｆ）は上記フック本体にアーム固定片を嵌合する状態を示す概略図。
【図８】（Ａ），（Ｂ）は上記フックに１本または２本のアームを支持した状態を示す斜視図。
【図９】（Ａ），（Ｂ）は上記フックに異なる形態のアームを支持する直前または直後の状態を示す斜視図。
【図１０】（Ａ）〜（Ｄ）は従来の商品陳列具を示す側面図、（ｃ）は（Ｃ）の商品陳列具におけるベース板付近を示す斜視図。
【符号の説明】
１，１ａ，６，６ａ，５０，５６…商品吊り下げ用アーム
２ｂ………………………………切り欠き部
９…………………………………挿入片
９ａ………………………………鈎凸条
９ｃ………………………………突起
１２………………………………金属棒
１４………………………………合成樹脂
１６，１６ａ，６０ｂ…………金属補強板
２０，２０ａ，６０……………商品陳列用フック
２１………………………………上面
２３………………………………背面
２４………………………………凹部
３２………………………………第１の凹溝
３３，４３………………………開口縁
３５………………………………貫通孔
３８………………………………第１の固定穴
４２………………………………第２の凹溝
４２ａ……………………………垂直孔
４５………………………………鈎凹部
４８………………………………第２の固定穴
６０ａ……………………………フック本体
６２………………………………掛かり部
６５………………………………細径部
６６………………………………凹み
６７〜６９………………………凹溝の垂直／水平溝
７２………………………………アーム固定片
７３………………………………嵌合溝
７４………………………………脚片
７５………………………………係止突条
７６………………………………円弧溝
ｂ…………………………………バー材
ｍ…………………………………凹溝
Ｎ…………………………………ネットの水平線
【図１】
2004016478.tif 000003
【図２】
2004016478.tif 000004
【図３】
2004016478.tif 000005
【図４】
2004016478.tif 000006
【図５】
2004016478.tif 000007
【図６】
2004016478.tif 000008
【図７】
2004016478.tif 000009
【図８】
2004016478.tif 000010
【図９】
2004016478.tif 000011
【図１０】
2004016478.tif 000012